(57)【要約】【課題】下り信号と上り信号とのタイミングの比較の際の誤差を防止する。【解決手段】第一Ａ／Ｄ変換部１４ａが使用するサンプリングクロックと、第二Ａ／Ｄ変換部１４ｂが使用するサンプリングクロックとが同一の信号Ｓｃｌｋである。このため、第一Ａ／Ｄ変換部１４ａと第二Ａ／Ｄ変換部１４ｂとが同一のタイミングで動作する。よって、下り信号と上り信号とのタイミングの比較の際の誤差を防止できる。【選択図】　図１
2004023477.tif 000002
【特許請求の範囲】
【請求項１】
子機から親機へ送られる上り信号をＡ／Ｄ変換する第一Ａ／Ｄ変換手段と、
前記第一Ａ／Ｄ変換手段の出力に基づき前記上り信号のタイミングを測定する上り信号タイミング測定手段と、
前記親機から前記子機へ送られる下り信号をＡ／Ｄ変換する第二Ａ／Ｄ変換手段と、
前記第二Ａ／Ｄ変換手段の出力に基づき前記下り信号のタイミングを測定する下り信号タイミング測定手段と、
を備え、
前記第一Ａ／Ｄ変換手段が使用するサンプリングクロックと、前記第二Ａ／Ｄ変換手段が使用するサンプリングクロックとは同一である、
送信信号および受信信号のタイミング測定装置。
【請求項２】
請求項１に記載の送信信号および受信信号のタイミング測定装置であって、
前記上り信号タイミング測定手段の測定した前記上り信号のタイミングと、前記下り信号タイミング測定手段の測定した前記下り信号のタイミングとの差を測定する送受信タイミング測定手段、
を備えた送信信号および受信信号のタイミング測定装置。
【請求項３】
請求項１または２に記載の送信信号および受信信号のタイミング測定装置であって、
前記上り信号の周波数を変換して前記第一Ａ／Ｄ変換手段に出力する第一周波数変換手段と、
前記下り信号の周波数を変換して前記第二Ａ／Ｄ変換手段に出力する第二周波数変換手段と、
を備えた送信信号および受信信号のタイミング測定装置。
【請求項４】
請求項１または２に記載の送信信号および受信信号のタイミング測定装置であって、
前記上り信号の周波数を変換して前記第一Ａ／Ｄ変換手段に出力する第一周波数変換手段と、
前記下り信号の基となる信号を送信する親機機能手段および前記親機機能手段が送信する信号の周波数を変換して前記下り信号とする第三周波数変換手段を有する親機と、
を備え、
前記第二Ａ／Ｄ変換手段は前記親機機能手段が送る信号をＡ／Ｄ変換する、
送信信号および受信信号のタイミング測定装置。
【請求項５】
子機から親機へ送られる上り信号をＡ／Ｄ変換する第一Ａ／Ｄ変換工程と、
前記第一Ａ／Ｄ変換工程の出力に基づき前記上り信号のタイミングを測定する上り信号タイミング測定工程と、
前記親機から前記子機へ送られる下り信号をＡ／Ｄ変換する第二Ａ／Ｄ変換工程と、
前記第二Ａ／Ｄ変換工程の出力に基づき前記下り信号のタイミングを測定する下り信号タイミング測定工程と、
を備え、
前記第一Ａ／Ｄ変換工程が使用するサンプリングクロックと、前記第二Ａ／Ｄ変換工程が使用するサンプリングクロックとは同一である、
送信信号および受信信号のタイミング測定方法。
【請求項６】
子機から親機へ送られる上り信号をＡ／Ｄ変換する第一Ａ／Ｄ変換手段と、前記親機から前記子機へ送られる下り信号をＡ／Ｄ変換する第二Ａ／Ｄ変換手段とを有し、前記第一Ａ／Ｄ変換手段が使用するサンプリングクロックと、前記第二Ａ／Ｄ変換手段が使用するサンプリングクロックとは同一である送信信号および受信信号のタイミング測定装置におけるタイミング測定処理をコンピュータに実行させるためのプログラムであって、
前記第一Ａ／Ｄ変換手段の出力に基づき前記上り信号のタイミングを測定する上り信号タイミング測定処理と、
前記第二Ａ／Ｄ変換手段の出力に基づき前記下り信号のタイミングを測定する下り信号タイミング測定処理と、
をコンピュータに実行させるためのプログラム。
【請求項７】
子機から親機へ送られる上り信号をＡ／Ｄ変換する第一Ａ／Ｄ変換手段と、前記親機から前記子機へ送られる下り信号をＡ／Ｄ変換する第二Ａ／Ｄ変換手段とを有し、前記第一Ａ／Ｄ変換手段が使用するサンプリングクロックと、前記第二Ａ／Ｄ変換手段が使用するサンプリングクロックとは同一である送信信号および受信信号のタイミング測定装置におけるタイミング測定処理をコンピュータに実行させるためのプログラムを記録したコンピュータによって読み取り可能な記録媒体であって、
前記第一Ａ／Ｄ変換手段の出力に基づき前記上り信号のタイミングを測定する上り信号タイミング測定処理と、
前記第二Ａ／Ｄ変換手段の出力に基づき前記下り信号のタイミングを測定する下り信号タイミング測定処理と、
をコンピュータに実行させるためのプログラムを記録したコンピュータによって読み取り可能な記録媒体。
【発明の詳細な説明】
【０００１】
【発明の属する技術分野】
本発明は移動体通信等の無線通信技術に関し、特に親機と子機との間の通信タイミングの解析に関する。
【０００２】
【従来の技術】
従来より、移動体通信等の無線通信技術においては、親機から子機へ送信された下り信号に対し、子機が規定のタイミングで上り信号を親機へ送信することが求められている。そこで、下り信号と上り信号とのタイミングを測定して、上記のような要求を満たしているか否かを計測することが行われている。
【０００３】
従来の、下り信号と上り信号とのタイミングの解析は以下のようにして行われる。まず、下り信号のタイミングを示す信号を基準として、上り信号をＡ／Ｄ変換して、上り信号のタイミングを測定し、下り信号のタイミングを示す信号とのタイミングを比較する。
【０００４】
従来技術における、下り信号のタイミングの測定方法を図３を参照して説明する。まず、下り信号のタイミングを示す下りタイミング信号（図３（ａ）参照）を親機から取得する。さらに、下りタイミング信号を、上り信号のＡ／Ｄ変換の際に使用したサンプリングクロック（図３（ｂ）参照）と比較し、サンプリングトリガ（図３（ｃ）参照）を取得する。すなわち、下りタイミング信号がＨｉｇｈであり、サンプリングクロックが立ち上がる時から、サンプリングクロック一周期分（１／Ｓｃｌｋ）の間、Ｈｉｇｈとなるようにサンプリングトリガを生成する。測定が正確に行われる場合は、下りタイミング信号が立ち上がる時と、サンプリングクロックが立ち上がる時とは一致している。そこで、サンプリングトリガは、下りタイミング信号およびサンプリングクロックが立ち上がる時からＨｉｇｈになる。サンプリングトリガは、上り信号のタイミングを示す信号と比較され、下り信号と上り信号とのタイミングが比較される。
【０００５】
【発明が解決しようとする課題】
しかしながら、下り信号のタイミングと、上り信号のＡ／Ｄ変換のためのサンプリングクロックとの位相が必ずしも一致しないため、下り信号と上り信号とのタイミングの比較に誤差が生ずる。下り信号のタイミングの測定が不正確になる理由を図４を参照して説明する。
【０００６】
まず、下り信号のタイミングを示す下りタイミング信号（図４（ａ）参照）を親機から取得する。さらに、下りタイミング信号を、上り信号のＡ／Ｄ変換の際に使用したサンプリングクロック（図４（ｂ）参照）と比較し、サンプリングトリガ（図４（ｃ）参照）を取得する。ここで、下りタイミング信号の立ち上がりと、サンプリングクロックの立ち上がりとがΔｔ（最大で１／Ｓｃｌｋ）だけずれることがある。よって、サンプリングトリガがＨｉｇｈになるタイミングもΔｔだけずれる。よって、下り信号のタイミングの測定が必ずしも正確に行えない。
【０００７】
そこで、本発明は、下り信号と上り信号とのタイミングの比較の際の誤差を防止することを課題とする。
【０００８】
【課題を解決するための手段】
請求項１に記載の発明は、子機から親機へ送られる上り信号をＡ／Ｄ変換する第一Ａ／Ｄ変換手段と、第一Ａ／Ｄ変換手段の出力に基づき上り信号のタイミングを測定する上り信号タイミング測定手段と、親機から子機へ送られる下り信号をＡ／Ｄ変換する第二Ａ／Ｄ変換手段と、第二Ａ／Ｄ変換手段の出力に基づき下り信号のタイミングを測定する下り信号タイミング測定手段とを備え、第一Ａ／Ｄ変換手段が使用するサンプリングクロックと、第二Ａ／Ｄ変換手段が使用するサンプリングクロックとは同一であるように構成される。
【０００９】
上記のように構成された送信信号および受信信号のタイミング測定装置によれば、第一Ａ／Ｄ変換手段が使用するサンプリングクロックと、第二Ａ／Ｄ変換手段が使用するサンプリングクロックとが同一である。このため、第一Ａ／Ｄ変換手段と第二Ａ／Ｄ変換手段とが同一のタイミングで動作する。よって、下り信号と上り信号とのタイミングの比較の際の誤差を防止できる。
【００１０】
請求項２に記載の発明は、請求項１に記載の発明であって、上り信号タイミング測定手段の測定した上り信号のタイミングと、下り信号タイミング測定手段の測定した下り信号のタイミングとの差を測定する送受信タイミング測定手段を備えるように構成される。
【００１１】
請求項３に記載の発明は、請求項１または２に記載の発明であって、上り信号の周波数を変換して第一Ａ／Ｄ変換手段に出力する第一周波数変換手段と、下り信号の周波数を変換して第二Ａ／Ｄ変換手段に出力する第二周波数変換手段とを備えるように構成される。
【００１２】
請求項４に記載の発明は、請求項１または２に記載の送受信タイミング測定装置であって、上り信号の周波数を変換して第一Ａ／Ｄ変換手段に出力する第一周波数変換手段と、下り信号の基となる信号を送信する親機機能手段および親機機能手段が送信する信号の周波数を変換して下り信号とする第三周波数変換手段を有する親機とを備え、第二Ａ／Ｄ変換手段は親機機能手段が送る信号をＡ／Ｄ変換するように構成される。
【００１３】
親機機能手段が送る信号は例えばＩＦ信号（Ｉｎｔｅｒｍｅｄｉａｔｅ　Ｆｒｅｑｕｅｎｃｙ：中間周波数）であり、直接Ａ／Ｄ変換できる。そこで、下り信号の周波数を変換して第二Ａ／Ｄ変換手段に出力する必要が無く便利である。
【００１４】
請求項５に記載の発明は、子機から親機へ送られる上り信号をＡ／Ｄ変換する第一Ａ／Ｄ変換工程と、第一Ａ／Ｄ変換工程の出力に基づき上り信号のタイミングを測定する上り信号タイミング測定工程と、親機から子機へ送られる下り信号をＡ／Ｄ変換する第二Ａ／Ｄ変換工程と、第二Ａ／Ｄ変換工程の出力に基づき下り信号のタイミングを測定する下り信号タイミング測定工程とを備え、第一Ａ／Ｄ変換工程が使用するサンプリングクロックと、第二Ａ／Ｄ変換工程が使用するサンプリングクロックとは同一であるように構成される。
【００１５】
請求項６に記載の発明は、子機から親機へ送られる上り信号をＡ／Ｄ変換する第一Ａ／Ｄ変換手段と、親機から子機へ送られる下り信号をＡ／Ｄ変換する第二Ａ／Ｄ変換手段とを有し、第一Ａ／Ｄ変換手段が使用するサンプリングクロックと、第二Ａ／Ｄ変換手段が使用するサンプリングクロックとは同一である送信信号および受信信号のタイミング測定装置におけるタイミング測定処理をコンピュータに実行させるためのプログラムであって、第一Ａ／Ｄ変換手段の出力に基づき上り信号のタイミングを測定する上り信号タイミング測定処理と、第二Ａ／Ｄ変換手段の出力に基づき下り信号のタイミングを測定する下り信号タイミング測定処理とをコンピュータに実行させるためのプログラムである。
【００１６】
請求項７に記載の発明は、子機から親機へ送られる上り信号をＡ／Ｄ変換する第一Ａ／Ｄ変換手段と、親機から子機へ送られる下り信号をＡ／Ｄ変換する第二Ａ／Ｄ変換手段とを有し、第一Ａ／Ｄ変換手段が使用するサンプリングクロックと、第二Ａ／Ｄ変換手段が使用するサンプリングクロックとは同一である送信信号および受信信号のタイミング測定装置におけるタイミング測定処理をコンピュータに実行させるためのプログラムを記録したコンピュータによって読み取り可能な記録媒体であって、第一Ａ／Ｄ変換手段の出力に基づき上り信号のタイミングを測定する上り信号タイミング測定処理と、第二Ａ／Ｄ変換手段の出力に基づき下り信号のタイミングを測定する下り信号タイミング測定処理とをコンピュータに実行させるためのプログラムを記録したコンピュータによって読み取り可能な記録媒体である。
【００１７】
【発明の実施の形態】
以下、本発明の実施形態を図面を参照しながら説明する。
【００１８】
第一の実施形態
図１は、本発明の第一の実施形態にかかるタイミング測定装置１を使用した親機２０および子機３０の間の送受信タイミングを測定するシステムの構成を示すブロック図である。
【００１９】
親機２０は子機３０へ下り信号を送る。子機３０は親機２０へ上り信号を送る。親機２０と子機３０とは無線通信を行っている。よって、下り信号および上り信号はＲＦ信号（Ｒａｄｉｏ　Ｆｒｅｑｕｅｎｃｙ：無線周波数）である。上り信号は信号取得器４０ａにより、下り信号は信号取得器４０ｂにより、タイミング測定装置１に入力される。
【００２０】
タイミング測定装置１は、下り信号と上り信号とのタイミングの比較を行う。タイミング測定装置１は、第一周波数変換部１２ａ、第二周波数変換部１２ｂ、第一Ａ／Ｄ変換部１４ａ、第二Ａ／Ｄ変換部１４ｂ、第一メモリ１６ａ、第二メモリ１６ｂ、上りタイミング測定部１８ａ、下りタイミング測定部１８ｂ、送受信タイミング測定部１９を備える。
【００２１】
第一周波数変換部１２ａは、上り信号を信号取得器４０ａを介して受ける。そして、上り信号の周波数を変換し、ＲＦ信号からＩＦ信号（Ｉｎｔｅｒｍｅｄｉａｔｅ　Ｆｒｅｑｕｅｎｃｙ：中間周波数）として、第一Ａ／Ｄ変換部１４ａに出力する。
【００２２】
第二周波数変換部１２ｂは、下り信号を信号取得器４０ｂを介して受ける。そして、下り信号の周波数を変換し、ＲＦ信号からＩＦ信号（Ｉｎｔｅｒｍｅｄｉａｔｅ　Ｆｒｅｑｕｅｎｃｙ：中間周波数）として、第二Ａ／Ｄ変換部１４ｂに出力する。
【００２３】
第一Ａ／Ｄ変換部１４ａは、上り信号を、信号取得器４０ａおよび第一周波数変換部１２ａを介して受ける。そして、上り信号をＡ／Ｄ変換する。すなわち、アナログ信号からデジタル信号に変換する。
【００２４】
第二Ａ／Ｄ変換部１４ｂは、下り信号を、信号取得器４０ｂおよび第二周波数変換部１２ｂを介して受ける。そして、下り信号をＡ／Ｄ変換する。Ａ／Ｄ変換の際には、サンプリングクロックを使用する。ここで、第一Ａ／Ｄ変換部１４ａにおいて使用されるサンプリングクロック信号と、第二Ａ／Ｄ変換部１４ｂにおいて使用されるサンプリングクロックとは同一の信号Ｓｃｌｋである。
【００２５】
第一メモリ１６ａは、第一Ａ／Ｄ変換部１４ａの出力を記録する。第二メモリ１６ｂは、第二Ａ／Ｄ変換部１４ｂの出力を記録する。
【００２６】
上りタイミング測定部１８ａは、第一メモリ１６ａの記録内容に基づき、上り信号のタイミング（例えば、上り信号のスロット位置など）を測定する。下りタイミング測定部１８ｂは、第二メモリ１６ｂの記録内容に基づき、下り信号のタイミング（例えば、下り信号のスロット位置など）を測定する。ここで、上り（下り）信号のタイミングの測定法は、複数の方法が周知であり、説明を省略する。
【００２７】
送受信タイミング測定部１９は、上りタイミング測定部１８ａの測定した上り信号のタイミングと、下りタイミング測定部１８ｂの測定した下り信号のタイミングとの差を測定する。
【００２８】
次に、第一の実施形態の動作を説明する。
【００２９】
まず、親機２０が子機３０に下り信号を送信する。子機３０が下り信号を受信すると、それに応じて上り信号を親機２０に送信する。下り信号は信号取得器４０ｂにより、上り信号は信号取得器４０ａにより、タイミング測定装置１に入力される。
【００３０】
上り信号は、第一周波数変換部１２ａによりＲＦ信号からＩＦ信号に変換される。そして、第一Ａ／Ｄ変換部１４ａによりアナログ信号からデジタル信号に変換され、第一メモリ１６ａに記録される。第一メモリ１６ａの記録内容から、上りタイミング測定部１８ａが上り信号のタイミングを測定する。
【００３１】
下り信号は、第二周波数変換部１２ｂによりＲＦ信号からＩＦ信号に変換される。そして、第二Ａ／Ｄ変換部１４ｂによりアナログ信号からデジタル信号に変換され、第二メモリ１６ｂに記録される。第二メモリ１６ｂの記録内容から、下りタイミング測定部１８ｂが下り信号のタイミングを測定する。
【００３２】
ここで、第一Ａ／Ｄ変換部１４ａおよび第二Ａ／Ｄ変換部１４ｂは、サンプリングクロックとして同一の信号Ｓｃｌｋを使用しているので、全く同じタイミングで動作する。
【００３３】
上りタイミング測定部１８ａの測定した上り信号のタイミングと、下りタイミング測定部１８ｂの測定した下り信号のタイミングとは、送受信タイミング測定部１９に送られ、上り信号と下り信号のタイミングの差が測定される。
【００３４】
第一の実施形態によれば、第一Ａ／Ｄ変換部１４ａが使用するサンプリングクロックと、第二Ａ／Ｄ変換部１４ｂが使用するサンプリングクロックとが同一の信号Ｓｃｌｋである。このため、第一Ａ／Ｄ変換部１４ａと第二Ａ／Ｄ変換部１４ｂとが同一のタイミングで動作する。よって、下り信号と上り信号とのタイミングの比較の際の誤差を防止できる。
【００３５】
第二の実施形態
第二の実施形態は、タイミング測定装置１が親機２０を内蔵した点が第一の実施形態と異なる。
【００３６】
図２は、本発明の第二の実施形態にかかるタイミング測定装置１を使用した子機３０の送受信タイミングを測定するシステムの構成を示すブロック図である。以下、第一の実施形態と同様な部分は、第一の実施形態と同一の番号を付して説明を省略する。
【００３７】
タイミング測定装置１は、親機２０、信号取得器４０ａ、第一周波数変換部１２ａ、第一Ａ／Ｄ変換部１４ａ、第二Ａ／Ｄ変換部１４ｂ、第一メモリ１６ａ、第二メモリ１６ｂ、上りタイミング測定部１８ａ、下りタイミング測定部１８ｂ、送受信タイミング測定部１９を備える。
【００３８】
親機２０は、親機機能部２２、第三周波数変換部２４、信号取得部２６を有する。
【００３９】
親機機能部２２は、下り信号の基となるＩＦ信号を送信する。また、親機機能部２２は、上り信号を受信する。第三周波数変換部２４は、親機機能部２２が送信するＩＦ信号の周波数を変換して下り信号とする。下り信号はＲＦ信号である。信号取得部２６は、親機機能部２２が送信するＩＦ信号を取得して、第二Ａ／Ｄ変換部１４ｂに送る。
【００４０】
第二Ａ／Ｄ変換部１４ｂは、親機機能部２２が送信するＩＦ信号を信号取得部２６を介して取得し、Ａ／Ｄ変換する。
【００４１】
信号取得器４０ａ、第一周波数変換部１２ａ、第一Ａ／Ｄ変換部１４ａ、第一メモリ１６ａ、第二メモリ１６ｂ、上りタイミング測定部１８ａ、下りタイミング測定部１８ｂ、送受信タイミング測定部１９は第一の実施形態と同様である。
【００４２】
次に、第二の実施形態の動作を説明する。
【００４３】
まず、親機機能部２２がＩＦ信号を送信し、第三周波数変換部２４が周波数変換を行い下り信号として子機３０に送信する。子機３０が下り信号を受信すると、それに応じて上り信号を親機２０に送信する。上り信号は信号取得器４０ａにより、第一周波数変換部１２ａに入力される。下り信号の基となるＩＦ信号は信号取得部２６により、第二Ａ／Ｄ変換部１４ｂに入力される。
【００４４】
上り信号は、第一周波数変換部１２ａによりＲＦ信号からＩＦ信号に変換される。そして、第一Ａ／Ｄ変換部１４ａによりアナログ信号からデジタル信号に変換され、第一メモリ１６ａに記録される。第一メモリ１６ａの記録内容から、上りタイミング測定部１８ａが上り信号のタイミングを測定する。
【００４５】
下り信号の基となるＩＦ信号は、第二Ａ／Ｄ変換部１４ｂによりアナログ信号からデジタル信号に変換され、第二メモリ１６ｂに記録される。第二メモリ１６ｂの記録内容から、下りタイミング測定部１８ｂが下り信号のタイミングを測定する。
【００４６】
ここで、第一Ａ／Ｄ変換部１４ａおよび第二Ａ／Ｄ変換部１４ｂは、サンプリングクロックとして同一の信号Ｓｃｌｋを使用しているので、全く同じタイミングで動作する。
【００４７】
上りタイミング測定部１８ａの測定した上り信号のタイミングと、下りタイミング測定部１８ｂの測定した下り信号のタイミングとは、送受信タイミング測定部１９に送られ、上り信号と下り信号のタイミングの差が測定される。
【００４８】
第二の実施形態によれば、第一の実施形態と同様な効果を奏する。しかも、親機機能部２２が送るＩＦ信号は、周波数が低いため、第二Ａ／Ｄ変換部１４ｂにより直接Ａ／Ｄ変換できる。そこで、下り信号（ＲＦ信号）の周波数を変換して、周波数の低いＩＦ信号としてから第二Ａ／Ｄ変換部１４ｂに出力する必要が無く便利である。
【００４９】
なお、上記の実施形態において、ＣＰＵ、ハードディスク、メディア（フロッピーディスク、ＣＤ−ＲＯＭなど）読み取り装置を備えたコンピュータのメディア読み取り装置に、上記の各部分（例えば、上りタイミング測定部１８ａ、下りタイミング測定部１８ｂ、送受信タイミング測定部１９）を実現するプログラムを記録したメディアを読み取らせて、ハードディスクにインストールする。このような方法でも、タイミング測定装置１を実現できる。
【００５０】
【発明の効果】
本発明によれば、第一Ａ／Ｄ変換手段が使用するサンプリングクロックと、第二Ａ／Ｄ変換手段が使用するサンプリングクロックとが同一である。このため、第一Ａ／Ｄ変換手段と第二Ａ／Ｄ変換手段とが同一のタイミングで動作する。よって、下り信号と上り信号とのタイミングの比較の際の誤差を防止できる。
【図面の簡単な説明】
【図１】本発明の第一の実施形態にかかるタイミング測定装置１を使用した親機２０および子機３０の間の送受信タイミングを測定するシステムの構成を示すブロック図である。
【図２】本発明の第二の実施形態にかかるタイミング測定装置１を使用した子機３０の送受信タイミングを測定するシステムの構成を示すブロック図である。
【図３】従来技術における、下り信号のタイミングの測定方法を示す図であり、タイミング信号（図３（ａ））、サンプリングクロック（図３（ｂ））、サンプリングトリガ（図３（ｃ））を示す。
【図４】従来技術における、下り信号のタイミングの測定の誤差が生ずる原理を示す図であり、タイミング信号（図４（ａ））、誤差が生じているサンプリングクロック（図４（ｂ））、誤差が生じているサンプリングトリガ（図４（ｃ））を示す。
【符号の説明】
１　タイミング測定装置
１２ａ　第一周波数変換部
１２ｂ　第二周波数変換部
１４ａ　第一Ａ／Ｄ変換部
１４ｂ　第二Ａ／Ｄ変換部
１６ａ　第一メモリ
１６ｂ　第二メモリ
１８ａ　上りタイミング測定部
１８ｂ　下りタイミング測定部
１９　送受信タイミング測定部
２０　親機
２２　親機機能部
２４　第三周波数変換部
２６　信号取得部
４０ａ、４０ｂ　信号取得器
【図１】
2004023477.tif 000003
【図２】
2004023477.tif 000004
【図３】
2004023477.tif 000005
【図４】
2004023477.tif 000006